(57)【要約】【課題】  確実なスピンドルの清掃を効率的かつ清潔に行うことができるスピンドルクリーナー及びクリーナーキットを提供する。【解決手段】棒状体の外周に雄ねじが形成されたスピンドル３１に付着しているグリースを除去するスピンドルクリーナー１であって、筒状体の内周に雌ねじが形成されたクリーナー本体４と、前記クリーナー本体４の外面に取り付けられた把持部５と、を備えるスピンドルクリーナー１である。【選択図】図１
2011177829.tif 000002
【特許請求の範囲】
【請求項１】
棒状体の外周に雄ねじが形成されたスピンドルに付着しているグリースを除去するスピンドルクリーナーであって、
筒状体の内周に雌ねじが形成されたクリーナー本体と、
前記クリーナー本体の外面に取り付けられた把持部と、を備えるスピンドルクリーナー。
【請求項２】
前記把持部は、前記クリーナー本体から延びる棒状体からなる請求項１に記載のスピンドルクリーナー。
【請求項３】
前記クリーナー本体は、分割されて第１分割体及び第２分割体を備えており、
前記第１分割体及び第２分割体は、一端部において互いに回転可能に連結されており、他端部において対向した状態で固定機構により固定される請求項１又は２に記載のスピンドルクリーナー。
【請求項４】
前記固定機構は、前記第１分割体及び第２分割体をねじ止めにより固定可能なように構成されている請求項３に記載のスピンドルクリーナー。
【請求項５】
前記スピンドルは、ゲートバルブにおけるスピンドルである請求項１〜４のいずれかに記載のスピンドルクリーナー。
【請求項６】
請求項１〜５のいずれかに記載のスピンドルクリーナーと、
前記スピンドルを挿通可能な貫通孔を有する受け皿と、を備えるクリーナーキット。
【発明の詳細な説明】
【技術分野】
【０００１】
本発明は、ゲートバルブ等に用いられるスピンドルを清掃するためのスピンドルクリーナー及びクリーナーキットに関する。
【背景技術】
【０００２】
従来から、公知のゲートバルブ等に用いられるスピンドルが知られている。ゲートバルブは、一般的に、下水処理場あるいは抽水所等における主要な設備として、屋外の過酷な環境下に設置されている。したがって、このゲートバルブの操作に支障が生じないように、計画を立てて点検作業を行うのが一般的である。
【０００３】
このようなゲートバルブに用いられるスピンドルとして、図７に示すスピンドルが知られている（例えば、特許文献１参照）。このスピンドル１０１は、図７に示すように、鉛直方向に延びる棒状体の外周に雄ねじが形成されることにより構成されている。また、スピンドル１０１には、雌ねじを有するハンドル１０２が螺合しており、スピンドル１０１を回転中心としてハンドル１０２を回動操作することにより、スピンドル１０１が上下に移動するように構成されている。これにより、スピンドル１０１に固定された図示しないバルブが上下に移動して、ゲートバルブ１００が開閉するように構成されている。
【０００４】
このようなスピンドル１０１においては、その外面に、ハンドル１０２を滑らかに回転させるためのグリースが塗布されているが、このグリースは、時間の経過と共に劣化してゆくのが一般的である。しかし、このような劣化グリースを放置しておくと、スピンドル１０１がさび付くことや、雄ねじ部分に異物がかみ込むことがあり、ゲートバルブ１００の操作に支障が生じることがある。そこで、劣化グリースを新しいグリースに交換するために、スピンドル１０１に付着した劣化グリースを除去してスピンドル１０１を清掃することが行われている。そのような場合、従来は、金ブラシを用いて、手作業により劣化グリースを除去する方法が一般的であった。また、金ブラシよる作業の後、ウエスを用いて劣化グリースの拭き取り作業を行っていた。
【先行技術文献】
【特許文献】
【０００５】
【特許文献１】特開２００９−２７５８９０号公報
【発明の概要】
【発明が解決しようとする課題】
【０００６】
しかし、上述のような従来の清掃方法では、金ブラシを用いて劣化グリースを除去するときに、作業者がスピンドル１０１を抱え込むような姿勢で清掃をするので、グリースが作業者に飛散して付着することがあった。また、金ブラシによる清掃作業では、手間がかかり、作業時間が長くなるという問題があった。また、ウエスによる拭き取り作業においても同様の問題があった。また、金ブラシによる清掃では、スピンドル１０１の雄ねじ部分にグリースが残存することがあり、残存グリースを拭き取るために多量のウエスを消費することがあった。
【０００７】
本発明は、上記問題を解決するためになされたものであって、確実なスピンドルの清掃を効率的かつ清潔に行うことができるスピンドルクリーナー及びクリーナーキットの提供を目的とする。
【課題を解決するための手段】
【０００８】
本発明は、上記課題を解決するためのスピンドルクリーナーであって、棒状体の外周に雄ねじが形成されたスピンドルに付着しているグリースを除去するスピンドルクリーナーにおいて、筒状体の内周に雌ねじが形成されたクリーナー本体と、前記クリーナー本体の外面に取り付けられた把持部と、を備える。
【０００９】
このような構成によれば、スピンドルにクリーナー本体を螺合させ、把持部を把持してクリーナー本体をスピンドルに対して回転させるだけで、スピンドルに付着したグリースを除去することができる。したがって、手軽にグリースを除去できるので、作業時間や作業人数を削減することができる。また、清掃作業中にグリースが飛散して作業者が汚れるのを防ぐことができる。また、クリーナー本体をスピンドルに螺合してスピンドルを清掃するので、スピンドルのねじ溝部分まで確実に清掃することができる。これにより、残存グリースを少なくでき、残存グリースを拭き取るためのウエスの消費量を抑制できる。したがって、本発明に係るスピンドルクリーナーによれば、確実なスピンドルの清掃を効率的かつ清潔に行うことができる。
【００１０】
また、上記のスピンドルクリーナーにおいて、前記把持部は、前記クリーナー本体から延びる棒状体から構成されていてもよい。
【００１１】
また、前記クリーナー本体は、分割されて第１分割体及び第２分割体を備えており、前記第１分割体及び第２分割体は、一端部において互いに回転可能に連結されており、他端部において対向した状態で固定機構により固定されていてもよい。
【００１２】
また、前記固定機構は、前記第１分割体及び第２分割体をねじ止めにより固定可能なように構成されていてもよい。
【００１３】
また、前記スピンドルは、ゲートバルブにおけるスピンドルであってもよい。
【００１４】
また、本発明は、上記のいずれかに記載のスピンドルクリーナーと、前記スピンドルを挿通可能な貫通孔を有する受け皿と、を備えるクリーナーキットであってもよい。このような構成によれば、受け皿によりグリースを受け取るので、グリースを除去した後、このグリースの廃棄を容易に行うことができる。その結果、より効率的な清掃作業となる。
【発明の効果】
【００１５】
本発明のスピンドルクリーナー及びクリーナーキットによれば、確実なスピンドルの清掃を効率的かつ清潔に行うことができる。
【図面の簡単な説明】
【００１６】
【図１】本発明の一実施形態に係るスピンドルクリーナー及びクリーナーキットを説明する側面図である。
【図２】スピンドルクリーナー及びクリーナーキットの斜視図である。
【図３】スピンドルクリーナーの断面図である。
【図４】本発明の他の実施形態に係るスピンドルクリーナーの斜視図である。
【図５】スピンドルクリーナーの上面図である。
【図６】スピンドルクリーナーの要部を拡大して示す斜視図である。
【図７】従来技術に係るゲートバルブの斜視図である。
【発明を実施するための形態】
【００１７】
以下、本発明の実施形態について添付図面を参照して説明する。図１は、本発明の一実施形態に係るスピンドルクリーナー及びクリーナーキットを説明する側面図である。また、図２は、スピンドルクリーナー及びクリーナーキットの斜視図である。また、図３は、スピンドルクリーナーの断面図である。
【００１８】
図１及び図２に示すように、クリーナーキット３は、スピンドル３１に適用されるスピンドルクリーナー１及び受け皿２により構成されている。スピンドルクリーナー１及び受け皿２の材質としては、特に限定されないが、例えば、鉄或いは銅などを用いることができる。
【００１９】
スピンドル３１は、例えば公知のゲートバルブ３０等に用いられる部材であり、鉛直方向に延びる棒状体の外周に雄ねじ３３が形成されることにより構成されている。また、スピンドル３１には、雌ねじを有するハンドル３２が螺合しており、スピンドル３１を回転中心としてハンドル３２を回動操作することにより、スピンドル３１が上下に移動するように構成されている。これにより、スピンドル３１に固定された図示しないバルブが上下に移動して、ゲートバルブ３０が開閉するように構成されている。また、スピンドル３１の表面には、ハンドル３２を滑らかに回転させるためのグリースが塗布されている。
【００２０】
スピンドルクリーナー１は、図３に示すように、クリーナー本体４と、クリーナー本体４に取り付けられた一対の把持部５、５とを備えている。クリーナー本体４は、挿入部６を有する筒状部材からなり、挿入部６にスピンドル３１が挿入される。また、クリーナー本体４を構成する筒状部材の内周には雌ねじ７が形成されており、この雌ねじ７は、挿入部６に挿入されたスピンドル３１の雄ねじ３３と螺合するように構成されている。
【００２１】
一対の把持部５，５は、クリーナー本体４の外周に固定された一対の棒状体から構成されており、クリーナー本体４の外周から側方に延び、素手で把持可能に構成されている。把持部５，５とクリーナー本体４との固定方法は特に限定されないが、例えば、溶接或いはねじ止め等により固定することができる。
【００２２】
受け皿２は、グリースを受け入れ可能なようにお盆形状に形成されている。また、受け皿２は、中心部に貫通孔８が形成されており、貫通孔８にスピンドル３１を挿通できるように構成されている。また、受け皿２は、ハンドル３２の上に載置することができる。
【００２３】
次に、以上のように構成されたスピンドルクリーナー１を用いてスピンドル３１を清掃する方法について説明する。
【００２４】
まず、受け皿２の貫通孔８にスピンドル３１を挿通し、受け皿２をハンドル３２上に載置する。次に、表面にグリースが付着したスピンドル３１に対して、クリーナー本体４を螺合させる。次に、把持部５，５を把持して、クリーナー本体４をスピンドル３１に対して回転させることにより下方へねじ込んでゆく。このとき、スピンドル３１に付着しているグリースは、クリーナー本体４により下方へ押されてゆく。そして、図２に示すように、下方へ押されたグリースｇは、スピンドル３１に沿って下方へ流れてゆき、受け皿２に受け入れられる。このようにして、スピンドル３１に付着したグリースを除去する。その後、必要に応じて、ウエスによりスピンドル３１に残存したグリースを拭き取る。
【００２５】
以上のように、本実施形態に係るスピンドルクリーナー１によれば、把持部５，５を把持してクリーナー本体４をスピンドル３１に対して回転させるだけで、スピンドル３１に付着したグリースを除去することができる。したがって、手軽にグリースを除去できるので、従来の金ブラシによる清掃作業のように手間がかかることがなく、作業時間を短縮することができる。また、作業者の人数を削減することも可能である。また、清掃作業中にグリースが飛散するのを防ぐことができ、作業者にグリースが付着するのを防ぐことができる。また、スピンドル３１にクリーナー本体４を螺合させることによりスピンドル３１を清掃するので、スピンドル３１のねじ溝に残存するグリースを少なくすることができる。したがって、従来よりも多量のグリースを除去できるので、スピンドル３１を確実に清掃することができる。また、残存グリースが少ないので、ウエスによる拭き取り作業を減らすことができる。その結果、ウエスの消費量を抑制することができる。以上より、本発明に係るスピンドルクリーナーによれば、確実なスピンドル３１の清掃を効率的かつ清潔に行うことができる。
【００２６】
また、受け皿２によりグリースを受け取るので、グリースを除去した後、このグリースの廃棄を容易に行うことができる。したがって、クリーナーキット３によれば、より効率的な清掃作業となる。また、把持部５，５がクリーナー本体４から延びる棒状体からなるので、少ない力でクリーナー本体４を回転させることができる。したがって、清掃作業を容易に行うことができる。このような構成は、ゲートバルブ等のようにスピンドル３１が大型で、グリースが多量なことにより清掃作業が煩わしい場合に、特に有効である。
【００２７】
以上、本発明の一実施形態について説明したが、本発明の具体的な態様は、上記実施形態に限定されるものではない。
【００２８】
例えば、上記実施形態では、クリーナー本体４は、１つの部材から構成されていたが、グリースを除去可能であればその構成は特に限定されず、複数に分割可能であってもよい。図４は、本発明の他の実施形態に係るスピンドルクリーナーの斜視図であり、図５は、スピンドルクリーナーの上面図であり、図６は、スピンドルクリーナーの要部を拡大して示す斜視図である。図４〜６において、図１〜３に係る構成と同様の構成部分については、同一の符号を付してその説明を省略する。
【００２９】
図４に示すように、クリーナー本体４は、２つに分割されることにより第１分割体１０及び第２分割体１１を備えている。第１分割体１０及び第２分割体１１にはそれぞれ把持部５，５が固定されている。また、第１分割体１０及び第２分割体１１は、湾曲した部材からなり、凹部を向かい合わせて対向することにより、挿入部６を有する筒状体を構成する。また、第１分割体１０及び第２分割体１１の一端部には、連結機構１２が取り付けられており、他端部には、固定機構１６が取り付けられている。クリーナー本体４の外周の形状、すなわち、第１分割体１０及び第２分割体１１の外周の形状は特に限定されず、適宜変更可能である。
【００３０】
連結機構１２は、本実施形態では公知の蝶番を用いており、回転軸１３を介して一片１４が第１分割体１０に固定され、他片１５が第２分割体１１に固定されており、第１分割体１０及び第２分割体１１を一端部において互いに回転可能に連結している。
【００３１】
固定機構１６は、回転軸１７を介して互いに回転可能に連結された一対の固定板１８，１９を備えており、一方の固定板１８は、第１分割体１０の他端部に固定されている。また、他方の固定板１９には図示しないねじ孔が形成されており、このねじ孔に締め付けねじ２０が螺入されており、他方の固定板１９により第２分割体１１の他端部を覆った状態で、締め付けねじ２０をねじ込むことにより、締め付けねじ２０の先端部が第２分割体１１の外面に押圧されるように構成されている。これにより、他方の固定板１９が第２分割体１１の他端部に固定される。このような固定機構１６のねじ止めにより、第１分割体１０及び第２分割体１１は、他端部において互いに対向した状態で固定される。
【００３２】
以上のように構成されたスピンドルクリーナー１によりスピンドル３１を清掃するときは、まず、第１分割体１０及び第２分割体１１の他端部を開放した状態で、第１分割体１０及び第２分割体１１によりスピンドル３１を軸方向の所望の位置で覆う。次に、第１分割体１０及び第２分割体１１の他端部を対向させた状態で、締め付けねじ２０を締めることにより、第１分割体１０及び第２分割体１１を互いに固定する。これにより、クリーナー本体４がスピンドル３１に螺合する。続いて、把持部５，５を把持して、クリーナー本体４をスピンドル３１に対して回転させてゆき、これによりスピンドル３１に付着したグリースを除去する。
【００３３】
このような構成によれば、クリーナー本体４が第１分割体１０及び第２分割体１１を備え、一端部において回転可能に連結されており、他端部において対向した状態で固定可能に構成されているので、クリーナー本体４をスピンドル３１に螺合させるとき、第１分割体１０及び第２分割体１１の他端部を開放した状態でスピンドル３１に取り付けることができる。これにより、クリーナー本体４をスピンドル３１の上端から螺合させる必要がないので、スピンドル３１の軸方向の位置を自由に選択してクリーナー本体４を螺合させることができる。その結果、スピンドル３１の目的部分のみを清掃することができるので、より効率的に清掃作業を行うことができる。また、締め付けねじを用いて第１分割体１０及び第２分割体１１を固定することにより、クリーナー本体４をスピンドル３１に螺合させるので、締め付けねじ２０の締め付け強さを調整することにより、スピンドル３１に対するクリーナー本体４の螺合の強さを調整することができる。その結果、スピンドル３１に付着するグリースの量に応じて、螺合強さを調整して清掃することができる。
【００３４】
また、上記実施形態では、把持部５，５は、一対の棒状体から構成されていたが、素手で把持可能であれば構成は特に限定されず、その形状や数は適宜変更可能である。
【００３５】
また、スピンドル３１は、ゲートバルブのスピンドルに限定されるものではなく、他の装置に用いられるスピンドルであってもよい。また、クリーナー本体４の大きさも特に限定されるものではなく、スピンドル３１の大きさに応じて適宜変更可能である。
【００３６】
また、締め付けねじ２０が螺入される固定板１９の図示しないねじ孔の大きさや形状は、適宜変更可能である。例えば、このねじ孔をクリーナー本体４の周方向に沿って延びる横長の孔として形成すると、締め付けねじ２０を螺入する位置を、クリーナー本体４の周方向に沿って調整することができる。このような構成によれば、グリースの量に応じて締め付けねじ２０による締め付け位置を調整することができる。
【符号の説明】
【００３７】
１    スピンドルクリーナー
２    受け皿
３    クリーナーキット
４    クリーナー本体
５    把持部
１０    第１分割体
１１    第２分割体
１２    連結機構
１６    固定機構
２０    締め付けねじ
３１    スピンドル
３２    ハンドル
【図１】
2011177829.tif 000003
【図２】
2011177829.tif 000004
【図３】
2011177829.tif 000005
【図４】
2011177829.tif 000006
【図５】
2011177829.tif 000007
【図６】
2011177829.tif 000008
【図７】
2011177829.tif 000009